【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
下張り面材及び上張り面材を建込んで壁面を形成する乾式工法の軽量耐火間仕切壁の目地構造において、
隣接する前記下貼り面材が突付け目地を形成し、隣接する前記上張り面材の側面が相互離間して目透し目地を形成しており、
火災時の熱ガスが前記目透し目地の目地底から該目透し目地の目地内空間に漏出するのを妨げて該目地内空間の温度上昇を遅延させるように、通気性を有する不燃繊維材料の帯状材が、前記目地底に敷設され、該目地底は前記帯状材によって室内空間から隠蔽されることを特徴とする軽量耐火間仕切壁の目地構造。
【請求項２】
下張り面材及び上張り面材を建込んで壁面を形成する乾式工法の軽量耐火間仕切壁の目地構造において、
隣接する前記下貼り面材が突付け目地を形成し、隣接する前記上張り面材の側面が相互離間して目透し目地を形成しており、
火災時の熱ガスが前記目透し目地の目地底から該目透し目地の目地内空間に漏出するのを妨げて前記目地内空間の温度上昇を遅延させるシール材によって、前記目透し目地の目地底に位置する前記下貼り面材の突付け目地が気密処理されたことを特徴とする軽量耐火間仕切壁の目地構造。
【請求項３】
前記下張り面材の突付け目地が前記目透し目地の目地底に位置することを特徴とする請求項１に記載の目地構造。
【請求項４】
前記目透し目地の目地底に位置する前記下張り面材の突付け目地を前記目透し目地の目地幅に亘ってシール材によって気密処理し、該シール材を前記帯状材と前記下張り面材との間に介挿したことを特徴とする請求項３に記載の目地構造。
【請求項５】
前記下張り面材及び上張り面材が同一の板厚を有することを特徴とする請求項１乃至４のいずれか１項に記載の目地構造。
【請求項６】
前記下張り面材が厚さ１２．５ｍｍ厚の石膏ボードである請求項１乃至４のいずれか１項に記載の目地構造。
【請求項７】
前記下張り面材及び上張り面材は、厚さ１２．５mmの石膏ボードであることを特徴とする請求項１乃至４のいずれか１項に記載の目地構造。
【請求項８】
前記下張り面材及び上張り面材は、厚さ１２．５mmの石膏ボードであり、前記帯状材は、２〜６mmの範囲内の厚さを有するロックウールのフェルト又は板体からなることを特徴とする請求項１、３又は４のいずれか１項に記載の目地構造。
【請求項９】
前記下張り面材及び上張り面材は、厚さ１２．５mmの石膏ボードであり、前記シール材は、ウレタン樹脂系シーリング材又は変性シリコン系シーリング材からなることを特徴とする請求項２又は４に記載の目地構造。
【請求項１０】
下張り面材及び上張り面材を建込んで壁面を形成する乾式工法の軽量耐火間仕切壁における目地の施工方法において、
隣接する前記下張り面材を突き付けて突付け目地を形成し、
隣接する前記上張り面材の側面を相互離間して目透し目地を形成し、
火災時の熱ガスが前記目透し目地の目地底から該目透し目地の目地内空間に漏出するのを妨げて前記目地内空間の温度上昇を遅延させるように、通気性を有する不燃繊維材料の帯状材を前記目地底に敷設し、
該目地底を前記帯状材によって室内空間から隠蔽することを特徴とする軽量耐火間仕切壁の目地施工方法。
【請求項１１】
下張り面材及び上張り面材を建込んで壁面を形成する乾式工法の軽量耐火間仕切壁における目地の施工方法において、
隣接する前記下張り面材を突き付けて突付け目地を形成し、
隣接する前記上張り面材の側面を相互離間して目透し目地を形成し、
火災時の熱ガスが前記目透し目地の目地底から該目透し目地の目地内空間に漏出するのを妨げて前記目地内空間の温度上昇を遅延させるシール材によって、前記目透し目地の目地底に位置する前記下貼り面材の突付け目地を気密処理することを特徴とする軽量耐火間仕切壁の目地施工方法。
【請求項１２】
前記下張り面材の突付け目地が前記目透し目地の目地底に位置することを特徴とする請求項１０に記載の目地施工方法。
【請求項１３】
隣接する前記上張り面材の側面を相互離間して目透し目地を形成した後、該目透し目地の目地底に位置する前記下張り面材の突付け目地を前記目透し目地の目地幅に亘ってシール材によって気密処理し、しかる後、前記帯状材を前記目透し目地の目地底に敷設することを特徴とする請求項１２に記載の目地施工方法。
【請求項１４】
前記下張り面材及び上張り面材が同一の板厚を有することを特徴とする請求項１０乃至１３のいずれか１項に記載の目地施工方法。
【請求項１５】
前記下張り面材が厚さ１２．５ｍｍの石膏ボードであることを特徴とする請求項１０乃至１３のいずれか１項に記載の目地施工方法。
【請求項１６】
前記下張り面材及び上張り面材は、厚さ１２．５mmの石膏ボードであることを特徴とする請求項１０乃至１３のいずれか１項に記載の目地施工方法。
【請求項１７】
前記下張り面材及び上張り面材は、厚さ１２．５mmの石膏ボードであり、前記帯状材は、２〜６mmの範囲内の厚さを有するロックウールのフェルト又は板体からなることを特徴とする請求項１０、１２又は１３に記載の目地施工方法。
【請求項１８】
前記下張り面材及び上張り面材は、厚さ１２．５mmの石膏ボードであり、前記シール材は、ウレタン樹脂系シーリング材又は変性シリコン系シーリング材からなることを特徴とする請求項１１又は１３に記載の目地施工方法。
【手続補正２】
【補正対象書類名】明細書
【補正対象項目名】００１４
【補正方法】変更
【補正の内容】
【００１４】
本発明は、上記目的を達成すべく、下張り面材及び上張り面材を建込んで壁面を形成する乾式工法の軽量耐火間仕切壁の目地構造において、
隣接する前記下貼り面材が突付け目地を形成し、隣接する前記上張り面材の側面が相互離間して目透し目地を形成しており、
火災時の熱ガスが前記目透し目地の目地底から該目透し目地の目地内空間に漏出するのを妨げて該目地内空間の温度上昇を遅延させるように、通気性を有する不燃繊維材料の帯状材が、前記目地底に敷設され、該目地底は前記帯状材によって室内空間から隠蔽されることを特徴とする軽量耐火間仕切壁の目地構造を提供する。
【手続補正３】
【補正対象書類名】明細書
【補正対象項目名】００１５
【補正方法】変更
【補正の内容】
【００１５】
他の観点より、本発明は、下張り面材及び上張り面材を建込んで壁面を形成する乾式工法の軽量耐火間仕切壁における目地の施工方法において、
隣接する前記下張り面材を突き付けた突付け目地を形成し、
隣接する前記上張り面材の側面を相互離間して目透し目地を形成し、
火災時の熱ガスが前記目透し目地の目地底から該目透し目地の目地内空間に漏出するのを妨げて前記目地内空間の温度上昇を遅延させるように、通気性を有する不燃繊維材料の帯状材を前記目地底に敷設し、
該目地底を前記帯状材によって室内空間から隠蔽することを特徴とする軽量耐火間仕切壁の目地施工方法を提供する。
【手続補正４】
【補正対象書類名】明細書
【補正対象項目名】００２２
【補正方法】変更
【補正の内容】
【００２２】
本発明は更に、下張り面材及び上張り面材を建込んで壁面を形成する乾式工法の軽量耐火間仕切壁の目地構造において、
隣接する前記下貼り面材が突付け目地を形成し、隣接する前記上張り面材の側面が相互離間して目透し目地を形成しており、
火災時の熱ガスが前記目透し目地の目地底から該目透し目地の目地内空間に漏出するのを妨げて前記目地内空間の温度上昇を遅延させるシール材によって、前記目透し目地の目地底に位置する前記下貼り面材の突付け目地が気密処理されたことを特徴とする軽量耐火間仕切壁の目地構造を提供する。
【手続補正５】
【補正対象書類名】明細書
【補正対象項目名】００２３
【補正方法】変更
【補正の内容】
【００２３】
他の観点より、本発明は、下張り面材及び上張り面材を建込んで壁面を形成する乾式工法の軽量耐火間仕切壁における目地の施工方法において、
隣接する前記下張り面材を突き付けて突付け目地を形成し、
隣接する前記上張り面材の側面を相互離間して目透し目地を形成し、
火災時の熱ガスが前記目透し目地の目地底から該目透し目地の目地内空間に漏出するのを妨げて前記目地内空間の温度上昇を遅延させるシール材によって、前記目透し目地の目地底に位置する前記下貼り面材の突付け目地を気密処理することを特徴とする軽量耐火間仕切壁の目地施工方法を提供する。